(57)【要約】【課題】浮遊容量に影響されること無く所定の電位差を速やかに生じさせる電気抵抗器を提供する。【解決手段】誘電体材料からなる基体と、基体に設けられた電気抵抗体３と、基体に設けられ且つ電気抵抗体３の第一の端部に接続された第一の電極６と、基体に設けられ且つ抵抗体３の第二の端部に接続された第二の電極７とを備えるものにおいて、  前記基体における第一の電極６と第二の電極７との間に設けられ、第一の電極６と同じ電位を第一の電極６と別系統から供給しうるガード電極４を備えることを特徴とする。【選択図】図１
2018133523.tif 000002
【特許請求の範囲】
【請求項１】
誘電体材料からなる基体と、基体に設けられた電気抵抗体と、基体に設けられ且つ電気抵抗体の第一の端部に接続された第一の電極と、基体に設けられ且つ抵抗体の第二の端部に接続された第二の電極とを備えるものにおいて、
前記基体における第一の電極と第二の電極との間に設けられ、第一の電極と同じ電位を第一の電極と別系統から供給しうるガード電極を備えることを特徴とする電気抵抗器。
【請求項２】
第一の端部が前記ガード電極、第二の端部が前記第二の電極に各々接続され、前記基体における前記電気抵抗体付近に同電気抵抗体と実質的に同一の電位分布を有するように設けられたガード抵抗体を更に備える、請求項１に記載の電気抵抗器。
【請求項３】
前記基体が直方体形状をなす本体と同本体の主面から一方の側面に回り込むように設けられた外郭とからなり、前記電気抵抗体が前記本体の主面に設けられ、前記第一の電極が前記外郭上に設けられ、前記第二の電極が前記本体の主面から他方の側面に回り込むように設けられ、前記ガード電極が前記外郭を介して前記第一の電極と対向するように設けられている、請求項１に記載の電気抵抗器。
【請求項４】
前記基体が直方体形状をなす本体と同本体の主面から一方の側面に回り込むように設けられた外郭とからなり、前記電気抵抗体及び前記第一の電極が前記外郭上に設けられ、前記第二の電極が前記本体の主面から他方の側面に回り込むように設けられ、前記ガード電極及びガード抵抗体が前記外郭を介して各々前記第一の電極及び電気抵抗体と対向するように設けられている、請求項２に記載の電気抵抗器。
【請求項５】
前記基体が円柱又は円筒形状をなす本体と同本体の外周面及び軸方向端面を覆うように設けられた外郭とからなり、前記電気抵抗体が前記本体の外周面に巻かれ、前記第一の電極が前記本体における一方の軸方向端面より軸線に沿って外郭を貫くように設けられ、前記第二の電極が前記本体における他方の軸方向端面より軸線に沿って外郭を貫くように設けられ、前記ガード電極が前記外郭を介して前記第一の電極の外周面を囲むように設けられている、請求項１に記載の電気抵抗器。
【請求項６】
前記基体が円柱又は円筒形状をなす本体と同本体の外周面及び軸方向端面を覆うように設けられた外郭とからなり、前記電気抵抗体が前記外郭を介して前記本体の外周面に巻かれ、前記第一の電極が前記本体における一方の軸方向端面より軸線に沿って外郭を貫くように設けられ、前記第二の電極が前記本体における他方の軸方向端面より軸線に沿って外郭を貫くように設けられ、前記ガード電極が前記外郭を介して前記第一の電極の外周面を囲むように設けられ、前記ガード抵抗体が前記外郭を介して前記電気抵抗体と対向するように前記本体の外周面に設けられている、請求項２に記載の電気抵抗器。
【請求項７】
請求項１〜６のいずれかに記載の電気抵抗器と、負入力端子が前記第一の電極、出力端子が前記第二の電極に接続されたオペアンプとを備える、信号増幅回路。
【発明の詳細な説明】
【技術分野】
【０００１】
この発明は抵抗値に対する浮遊容量の影響の低減を図った電気抵抗器に関する。
【背景技術】
【０００２】
電気抵抗器は増幅回路の増幅率を決定づけることにも使用される重要で最も基本的な電子部品である。電気抵抗器は電気抵抗体と、これを外部と接続する電極または端子と呼ばれる接続部からなる単純な構造を持つ。この単純さ故に半導体チップ内にも取り込まれつつある。電気抵抗体内部で生じる物理現象は流れる電流を電圧に変換する現象、電力を熱に変えて放出する現象であり、この現象を定義づけるのは電気抵抗値のみである。実際の電子部品としての電気抵抗器は高い電気抵抗率をもつ抵抗材料と、低い電気抵抗率をもつ電極材料を適切に配して、電気抵抗器の性質を電気抵抗値のみで代表させ得るように設計され製造されている。
【０００３】
一般に、電位差のあるところには電場が生じ、電場を緩和するように導体内を電荷が移動する。これを充電という。電気力線は電位差が生じる部分間で生じるところ、例えば図９に示すように電気抵抗体Ｒを挟む電極間において金属塊、大地、人体などの外部導体Ｄの影響や、外部誘電体Ｙによる影響も受け、所謂浮遊容量を生じさせる。さらに、外部導体Ｄや外部誘電体Ｙは電気的に中性ではなく、全体として抵抗器と一定の電位差を発生させる場合もある。これらの関係性から、電気力線は非常に複雑な形態になる。
【０００４】
図１０に示すように、従来の電気抵抗器１０１では、絶縁性の基体１０２の表面に良好な導電性を持つ電極１０６および電極１０７と電気抵抗体１０３が形成され、これらの電極１０６および電極１０７と電気抵抗体１０３が電気的に接続されている（特許文献１）。基体１０２は誘電体でもあり、電極１０６と電極１０７の間に電圧が印加されると充電される性質をもっている。
【０００５】
電気抵抗器１０１においては、図１１に示すように基体１０２を挟む電極１０６と電極１０７との間に主な浮遊容量Ｃｍが存在すると同時に、電気抵抗体１０３で連続的に電圧降下が発生し、その部位によって電位が異なることから、電極１０６および電極１０７と電気抵抗体１０３の各部分や電気抵抗体１０３の異なる部位同士でも浮遊容量Ｃｄが分布している。
【０００６】
電極１０６と電極１０７との間に電流を印加すると、電位差の生じる部位同士には充電現象が生じる。理想的な場合には電極１０６から流入する電流Ｉ０は、すべて電流Ｉ２として電気抵抗体１０３に流入するが、実際は主な浮遊容量Ｃｍへの電流Ｉ１や分布する浮遊容量Ｃｄに充電される電流が生じる。これらの充電電流は、それぞれの浮遊容量が充電されてしまえば、それ以上は流れず、起動後ある程度経過したのちに使用する直流の回路では問題にならない。
【先行技術文献】
【特許文献】
【０００７】
【特許文献１】特開２０１６−２２５５７２号公報
【発明の概要】
【発明が解決しようとする課題】
【０００８】
しかし、前記のような直流回路での使用形態は稀で、近年では生体活動が発生させる電気信号の処理などのように、微小で周波数帯域をもつ電気信号を増幅する回路や、電気エネルギの消費を極めて小さくする必要があるウェアラブル端末などのように、非常に大きな増幅率や極めて小さい電流で動作することが要請されている小型電子機器が注目されている。そのため極めて大きな電気抵抗を持ち、高い周波数帯域でも動作する抵抗体が必要であり、浮遊容量の影響が無視できなくなってきている。
【０００９】
たとえば浮遊容量が存在する電気抵抗器に対してパルス電流の印加開始時は浮遊容量に充電される。その結果、図１２に示すように電圧の立ち上がりが遅れ、パルス終了時でも充電された電荷が放電されるため、電圧は立ち下りで尾を引くようになり応答が遅れる。さらに短いパルスの場合、図１３に示すように、パルス幅の時間では所定の電圧に達しない。このように浮遊容量は高速の応答に支障をきたす。図１２および図１３は、理想的な場合には印加電流と同じ発生電圧の波形が得られるものとして作成した。
【００１０】
また、このような浮遊容量は高周波電流の隘路となり、電気抵抗器の電気抵抗体の両端に所定の電圧降下を得られない原因となる。即ち、連続的に変化する交流のような電流に対しては、誘電体への充電と放電を繰り返すことで、絶縁体を挟んだコンデンサにも電流を流すことができる。従って、電気抵抗体１０３に流れる電流Ｉ２以外に、主な浮遊容量に流れる電流Ｉ１のように隘路が生じるため、電気抵抗体１０３に流れる電流Ｉ２は抵抗器１０１に入力される電流Ｉ０よりも小さい値になり、電気抵抗体１０３では設計で想定された電位差が生じない。そのうえ、流れる電流に対して発生する電圧には前記の通り遅れが生じるので、位相差が発生し、信号の歪や発振の原因となる。これは周波数が高くなるにつれて顕著になる。
それ故、この発明の課題は、浮遊容量に影響されること無く所定の電位差を速やかに生じさせる電気抵抗器を提供することにある。
【課題を解決するための手段】
【００１１】
その課題を解決するために、この発明の電気抵抗器は、
誘電体材料からなる基体と、基体に設けられた電気抵抗体と、基体に設けられ且つ電気抵抗体の第一の端部に接続された第一の電極と、基体に設けられ且つ抵抗体の第二の端部に接続された第二の電極とを備えるものにおいて、
前記基体における第一の電極と第二の電極との間に設けられ、第一の電極と同じ電位を第一の電極と別系統から供給しうるガード電極を備えることを特徴とする。
【００１２】
ガード電極は、第一の電極からでる電気力線を遮蔽し、第一の電極と容量結合を形成するとともに、第二の電極や外部の導体とも基体だけでなく外部の誘電体を介して容量結合を形成する。ここで、ガード電極には第一の電極に接続される回路とは別系統の、出力インピーダンスが十分に低い回路から、第一の電極と同電位になるように電圧を印加する。すると、第一の電極から電気抵抗器に信号電流が流入しても、第一の電極はガード電極と同電位であるので、第一の電極とガード電極との間に存在する容量には充電されず、ほとんどが電気抵抗体に流れ込む。その結果、電気抵抗体にはほぼ信号電流に相当する電圧が生じ、電気抵抗器はほぼ純抵抗として動作する。この時、信号電流は外部導体との容量結合にも影響されないため、信号電流によって電気抵抗体に発生する電圧降下は非常に安定し、信頼性の高いものになる。
【００１３】
電位差のある所には必ず浮遊容量が存在し、ガード電極で遮断しても図１１に示したように電気抵抗体の周囲には浮遊容量による隘路がわずかながら残っている。そこで、その隘路を遮断するために、第一の端部が前記ガード電極、第二の端部が前記第二の電極に各々接続され、前記基体における前記電気抵抗体付近に同電気抵抗体と実質的に同一の電位分布を有するように設けられたガード抵抗体を更に備えると好ましい。ガード抵抗体は電気抵抗体付近に設けられ、電気抵抗体の周囲、少なくともガード抵抗体が存在する一方向を遮蔽し、電気抵抗体と容量結合を形成する。そして、電気抵抗体に信号電流が流入しても、ガード抵抗体が電気抵抗体と実質的に同一の電位分布を有するので、ガード抵抗体と電気抵抗体との間に存在する容量には充電されず、電気抵抗体に流れ込む電流は、ますます第一の電極に流入する電流に等しくなる。
【００１４】
この発明の電気抵抗器の好ましい構成においては、前記基体が直方体形状をなす本体と同本体の主面から一方の側面に回り込むように設けられた外郭とからなり、前記電気抵抗体が前記本体の主面に設けられ、前記第一の電極が前記外郭上に設けられ、前記第二の電極が前記本体の主面から他方の側面に回り込むように設けられ、前記ガード電極が前記外郭を介して前記第一の電極と対向するように設けられている。これにより、第一の電極から出る電気力線をほとんど遮断することができる。通常、この構成の場合の電極及び電気抵抗体は、厚膜又は薄膜からなる。
【００１５】
ガード抵抗体を有する電気抵抗器の特に好ましい構成においては、前記基体が直方体形状をなす本体と同本体の主面から一方の側面に回り込むように設けられた外郭とからなり、前記電気抵抗体及び前記第一の電極が前記外郭上に設けられ、前記第二の電極が前記本体の主面から他方の側面に回り込むように設けられ、前記ガード電極及びガード抵抗体が前記外郭を介して各々前記第一の電極及び電気抵抗体と対向するように設けられている。通常、この構成の場合のガード電極及びガード抵抗体も、厚膜又は薄膜からなる。
【００１６】
ガード抵抗体は電気抵抗体と対向し且つ同じ電位分布を有するように配置しているため、信号電流を印加したとき対向する部分が同電位になり、電気抵抗体とガード抵抗体との間に存在する容量には充電されない。また外部導体の影響からも遮断されているので、電気抵抗器に流れ込む信号電流はすべて電気抵抗体に流れ込み、電気抵抗体周囲の空間にも充電されないため、電気抵抗体の両端には信号電流に相当する電圧が生じ、電気抵抗器は純抵抗として動作する。
【００１７】
この発明の電気抵抗器の好ましい別の構成においては、前記基体が円柱又は円筒形状をなす本体と同本体の外周面及び軸方向端面を覆うように設けられた外郭とからなり、前記電気抵抗体が前記本体の外周面に巻かれ、前記第一の電極が前記本体における一方の軸方向端面より軸線に沿って外郭を貫くように設けられ、前記第二の電極が前記本体における他方の軸方向端面より軸線に沿って外郭を貫くように設けられ、前記ガード電極が前記外郭を介して前記第一の電極の外周面を囲むように設けられている。通常、この構成の場合の電極及び電気抵抗体は、ワイヤーからなる。
【００１８】
ガード抵抗体を有する電気抵抗器の特に好ましい別の構成においては、前記基体が円柱又は円筒形状をなす本体と同本体の外周面及び軸方向端面を覆うように設けられた外郭とからなり、前記電気抵抗体が前記外郭を介して前記本体の外周面に巻かれ、前記第一の電極が前記本体における一方の軸方向端面より軸線に沿って外郭を貫くように設けられ、前記第二の電極が前記本体における他方の軸方向端面より軸線に沿って外郭を貫くように設けられ、前記ガード電極が前記外郭を介して前記第一の電極の外周面を囲むように設けられ、前記ガード抵抗体が前記外郭を介して前記電気抵抗体と対向するように前記本体の外周面に設けられている。通常、この構成の場合のガード電極及びガード抵抗体は、箔からなる。
【００１９】
以上の通りであるから、オペアンプを備える反転増幅回路や非反転増幅回路において、この発明の電気抵抗器を帰還抵抗として用いることで、帰還抵抗に所定の電位差を生じ、目的の増幅率を得ることができる。
【発明の効果】
【００２０】
以上のように、この発明の電気抵抗器は、高周波領域や、高速応答が必要な回路でも純粋な抵抗として動作するため、電気抵抗器が用いられている製品の回路設計がしやすく、また同製品の信頼性も高くなる。
【図面の簡単な説明】
【００２１】
【図１】実施形態１の電気抵抗器を示す縦断面図である。
【図２】同電気抵抗器の等価回路図である。
【図３】実施形態２の電気抵抗器を示す縦断面図である。
【図４】同じく分解斜視図である。
【図５】同電気抵抗器の等価回路図である。
【図６】実施形態３の増幅回路図である。
【図７】実施形態４の増幅回路図である。
【図８】実施形態５の増幅回路図である。
【図９】一対の電極間に電流が印加されている電気抵抗体の周囲にできる電気力線と、充電される仮想的なコンデンサとを示す概念図である。
【図１０】従来の角型表面実装抵抗器の横断面図である。
【図１１】同電気抵抗器の等価回路図である。
【図１２】浮遊容量が存在する電気抵抗器に時間幅の長いパルス状の電流を印加した場合の過渡応答の概念図である。
【図１３】浮遊容量が存在する電気抵抗器に時間幅の短いパルス状の電流を印加した場合の過渡応答の概念図である。
【図１４】実施形態６の電気抵抗器を示す斜視図である。
【図１５】同電気抵抗器の軸方向断面図である。
【発明を実施するための形態】
【００２２】
−実施形態１−
第一の実施形態の電気抵抗器１は、図１に示すようにアルミナ焼結体等の誘電体材料からなり基体の大部分をなす直方体状の本体２と、本体２の主面に本体２の長寸方向に長く設けられた電気抵抗体３と、ガード電極４と、基体の残部をなす外郭５と、一対の電極６、７とを備える角型表面実装抵抗器である。電気抵抗体３、ガード電極４、外郭５、及び電極６、７は、印刷、メッキなどによる厚膜、又はスパッタリング、蒸着技術などによる薄膜からなる。
【００２３】
ガード電極４は、電気抵抗体３から少し距離を置いて本体２の主面から長寸方向一方の側面、続いて反対側主面に回り込むように設けられ、反対側主面に設けられたガード端子８と接続している。外郭５は、ガード電極４をガード端子８との接続部を除いて完全に被覆するように設けられている。外郭５の厚さは、本体２の長寸方向の寸法に比べて著しく薄い。電極６は、電気抵抗体３の長寸方向の一端に接続し、外郭５の上をガード電極に沿って本体２の反対側主面に回り込むように設けられている。電極７は、電気抵抗体３の他端に接続し、本体２の長寸方向他方の側面、続いて反対側主面に回り込むように設けられている。
【００２４】
外郭５を介して電極６とガード電極４との間に生じる浮遊容量は図１の等価回路（図２）においてコンデンサＣ１に、もう一方の電極７とガード電極４との間に生じる浮遊容量はコンデンサＣ２に対応する。
電気抵抗器１を使用する場合には、電極６に接続された回路とは別系統の回路から電極６と同じ値で、同じように変化する電圧を、ガード端子８を経てガード電極４に印加する。別系統の回路とは、例えば電源出力に接続された十分に出力インピーダンスの低い分圧回路や、オペアンプを用いたボルテージフォロア回路等で、電極６から入力される電流Ｉ０とは独立し且つ電極６の電位変化に追従した電圧を出力する回路である。
【００２５】
これによって電極６とガード電極４は常に同じ電位となるため、電流Ｉ１は発生せず浮遊容量であるコンデンサＣ１への充電は生じない。その結果、電極６から流入する電流Ｉ０はすべて電流Ｉ２として電気抵抗体３に流入する。従って、電気抵抗体３で発生する電圧降下は、電極６を経た電流に電気抵抗体３の電気抵抗値を掛けた値となる。ガード電極４が無ければ、一般に電気抵抗器で浮遊容量が発生する主要な部位は、電極６、７間であるから、ガード電極４を設けることによって電気抵抗器１は浮遊容量の影響を受けることなく動作することになる。
【００２６】
−実施形態２−
第二の実施形態の電気抵抗器１１においては、図３に示すように外郭１５が電気抵抗体１３の下にも設けられ、更にその下に図４に示すように平面視蛇行する電気抵抗体１３の電流経路形状と同じ電流経路形状を有するガード抵抗体１９が設けられている。ガード抵抗体１９の一方の端はガード電極１４に接続され、他方の端は第二の電極１７に接続されている。その他の点では第一の実施形態の電気抵抗器１と同じ構成を有している。
【００２７】
外郭１５を介して電極１６とガード電極１４との間に生じる浮遊容量は、図５においてコンデンサＣ３に、ガード電極１４ともう一方の電極１７との間に生じる浮遊容量はコンデンサＣ４に、電気抵抗体１３とガード抵抗体１９の対向するそれぞれの部位間に分布して生じる浮遊容量はコンデンサＣ５にそれぞれ対応する。
【００２８】
電気抵抗器１１を使用する場合は、実施形態１と同様に電極１６に接続された回路とは別系統の回路から電極１６と同じ値を持ち、同じように変化する電圧を、ガード端子１８を経てガード電極１４に印加する。その結果、電極１６とガード電極１４は常に同じ電位となるため、電気抵抗器１１に流入する電流Ｉはすべて電流Ｉとして電気抵抗体１３に流入する。
【００２９】
さらに、電気抵抗体１３の部分間や電気抵抗体１３の一部と電極１６又は電極１７との間で生じる浮遊容量は、これらの間に生じる電気力線をガード抵抗体１９で遮断することで、コンデンサＣ５に整理統合されている。しかもガード抵抗体１９は電気抵抗体１３と同形状で電気抵抗体１３に沿うように形成されているから、対向する部位は同じ電位になり、コンデンサＣ５に充電されることはない。
【００３０】
従って、電気抵抗器１１では電極１６、１７間だけでなく、電流経路すべてで生じる浮遊容量への充電を遮断することができ、より純抵抗に近い特性で動作する。なお、電気抵抗体１３とガード抵抗体１９とは、形状が同じで、同じ抵抗値分布をもつものであればよく、同じ抵抗値にする必要はない。
【００３１】
−実施形態３−
第三の実施形態は、第一の実施形態の電気抵抗器とオペアンプとを組み合わせた反転増幅回路である。この反転増幅回路では図６に示すように、入力抵抗２１が信号入力端子とオペアンプ２２の負入力端子との間に、第一の実施形態の電気抵抗器が帰還抵抗２３として負入力端子と出力端子との間に、オペアンプ２２の正入力端子と帰還抵抗２３のガード端子２４がグラウンドにそれぞれ接続されている。即ち、帰還抵抗２３と入力抵抗２１に生じる電圧比をオペアンプに負帰還させることで増幅率を設定できる仕組みである。
【００３２】
入力電流は入力抵抗２１を経て、入力インピーダンスの大きなオペアンプ２２には流入せずに、帰還抵抗２３を通過して、オペアンプ２２の出力端子に至るが、オペアンプ２２の出力電圧は、オペアンプ２２の負入力端子に接続された入力抵抗２１と帰還抵抗２３の接点がオペアンプの正入力端子と同電位すなわち０Ｖになるように自動的に調整される。従って、負入力端子に接続された帰還抵抗２３の第一の電極２６とガード端子２４とが同電位となり、第一の実施形態で例証した通り、帰還抵抗２３の浮遊容量成分には充電されない。その結果、帰還抵抗２３には所定の電位差を生じ、この反転増幅回路は目的の増幅率を得ることができる。
【００３３】
この反転増幅回路において、オペアンプ２２の出力電圧は、帰還抵抗２３として用いられている電気抵抗器内のコンデンサＣ２（図２）の値とは無関係であり、しかも一般にオペアンプの出力インピーダンスは十分に小さく、使用するオペアンプは出力回路の容量性素子や次段回路の変動なども考慮して所定の電圧を得られるように選定されるが、より影響を小さくするためにはコンデンサＣ２の容量は小さいほうが望ましい。従って、図１の電気抵抗器１では入力側にあたる電極６の近傍にガード電極４を配置し、ガード電極４と電極７との間隔を広くとることによって、図２におけるコンデンサＣ２の容量が低くされている。
【００３４】
−実施形態４−
第四の実施形態は、第一の実施形態の電気抵抗器とオペアンプとを組み合わせた非反転増幅回路である。この非反転増幅回路では図７に示すように、信号入力端子が直接オペアンプ３２の正入力端子に接続され、オペアンプ３２の負入力端子が分圧抵抗３１を介してグラウンドと、帰還抵抗３３を介して出力端子にそれぞれ接続されている。帰還抵抗３３として第一の実施形態の電気抵抗器が用いられている。この非反転増幅回路においては、帰還抵抗３３と分圧抵抗３１に生じる電圧比をオペアンプ３２の負入力端子に帰還させることで増幅率を設定できる仕組みである。
【００３５】
帰還抵抗３３のガード端子３４は、分圧抵抗３８を介してグランドに、並びに分圧抵抗３９を介して出力端子に接続されている。そして、ガード端子３４に分圧抵抗３８および３９から得た電圧を印加したとき、分圧抵抗３８および３９からなる分圧比が、分圧抵抗３１と帰還抵抗３３とからなる分圧比と等しくなるように、分圧抵抗３８および３９を設定する。オペアンプ３２の作用により、負入力端子に接続された帰還抵抗３３の第一の電極３６は常にオペアンプ３２の正入力端子と同電位、すなわち本回路への入力電圧と同電位になるが、同じ分圧比を持つ抵抗列でつくられた分圧を印加されるガード端子３４も常に同電位となり、第一の実施形態で例証した通り、帰還抵抗３３として用いられている電気抵抗器の浮遊容量成分には充電されない。その結果、帰還抵抗３３には所定の電位差を生じ、この非反転増幅回路は目的の増幅率を得ることができる。
【００３６】
−実施形態５−
第五の実施形態は、第二の実施形態の電気抵抗器とオペアンプとを組み合わせた非反転増幅回路である。この実施形態では図８に示す帰還抵抗４３として用いられる電気抵抗器の内部にガード抵抗体が組み込まれており、これと、分圧回路を構成するガード分圧抵抗３８との抵抗値比を帰還抵抗４３と分圧抵抗４１との比に等しくすることで、ガード端子４４と電極４６の電位を常に同一に保つことができる。この結果、帰還抵抗４３に流れ込む電流は浮遊容量によって損なわれることなく、帰還抵抗４３に所定の電位差を生じ、目的の増幅率を得ることができる。
【００３７】
−実施形態６−
第六の実施形態の電気抵抗器５１においては、図１４及び図１５に示すように、本体５２が円柱をなし、外郭５５が本体５２の外周面及び軸方向端面を覆うように外観的に円柱状に設けられている。電気抵抗体５３は、ワイヤーからなり、外郭５５に埋め込まれているとともに本体５２の外周面を囲むように巻かれている。電気抵抗体５３は、外郭に形成された厚膜または薄膜からなっていてもよい。
【００３８】
電気抵抗体５３の一方の端部は、本体５２の軸方向端面に回り込んで、同端面の中心に至る。他方の端部も同様に反対側端面の中心に至る。第一の電極５６は、リードワイヤーからなり、電気抵抗体５３の前記一方の端部に連なり、そこから軸線に沿って外郭５５を貫くように設けられている。第二の電極５７も同じく、電気抵抗体５３の前記他方の端部に連なり、そこから軸線に沿って反対方向に外郭５５を貫くように設けられている。
【００３９】
ガード電極５４は、外郭５５に埋め込まれているとともに電極５６の外周面を囲むように円筒状に設けられており、ガード端子５８により外部に引き出されている。ガード抵抗体５９は、外郭５５の内側で本体５２の外周面を覆うように円筒状に設けられている。ガード電極５４及びガード抵抗体５９は、箔からなる。ガード抵抗体５９の一方の端は、接続線６０によりガード電極５４に接続され、他方の端は接続線６１により電極５７に接続されている。ガード電極５４及びガード抵抗体５９は、外郭に形成された厚膜または薄膜からなっていてもよい。
【００４０】
この構成は、回路的には第二の実施形態と等価である。従って、電気抵抗器５１では電極５６、５７間だけでなく、電流経路すべてで生じる浮遊容量への充電を遮断することができ、より純抵抗に近い特性で動作する。
【符号の説明】
【００４１】
１、１１、５１、１０１  電気抵抗器
２、１２、５２  本体
１０２  基体
３、１３、５３、１０３  電気抵抗体
４、１４  ガード電極
５、１５、５５  外郭
６、１６、２６、３６、４６、５６、１０６  第一の電極
７、１７、２７、３７、４７、５７、１０７  第二の電極
８、１８、２４、３４、４４、５８  ガード端子
１９、５９  ガード抵抗体
２１  入力抵抗
３１、３８、３９、４１  分圧抵抗
２３、３３、４３  帰還抵抗
４８  ガード分圧抵抗
６０、６１  接続線
【図１】
2018133523.tif 000003
【図２】
2018133523.tif 000004
【図３】
2018133523.tif 000005
【図４】
2018133523.tif 000006
【図５】
2018133523.tif 000007
【図６】
2018133523.tif 000008
【図７】
2018133523.tif 000009
【図８】
2018133523.tif 000010
【図９】
2018133523.tif 000011
【図１０】
2018133523.tif 000012
【図１１】
2018133523.tif 000013
【図１２】
2018133523.tif 000014
【図１３】
2018133523.tif 000015
【図１４】
2018133523.tif 000016
【図１５】
2018133523.tif 000017